(57)【要約】【課題】印刷の進捗状況や印刷終了までの時間をユーザーに知らしめるようにすることができるネイルプリント装置を提供する.【解決手段】ネイルプリント装置１は、指の爪に印刷を施す印刷部４０と、印刷画像を表示する表示部１３と、印刷画像のうち既印刷領域と未印刷領域とを識別して表示部１３に表示させる表示制御部５１ｊと、を備える。【選択図】図７
2013094184.tif 000002
【特許請求の範囲】
【請求項１】
指の爪に印刷を施す印刷部と、
印刷画像を表示する表示部と、
印刷画像のうち既印刷領域と未印刷領域とを識別して前記表示部に表示させる表示制御部と、
を備えることを特徴とするネイルプリント装置。
【請求項２】
前記印刷部を制御して、前記印刷部による印刷画像の印刷を進行させる印刷制御部と、
前記印刷制御部によって進行されている印刷の進捗状況を検出して、前記印刷画像のうち既印刷領域と未印刷領域を判別する進捗状況検出部と、
を備えることを特徴とする請求項１に記載のネイルプリント装置。
【請求項３】
前記表示制御部は、前記進捗状況検出部によって判別された未印刷領域に相当する未印刷領域相当領域を表示させないことを特徴とする請求項２に記載のネイルプリント装置。
【請求項４】
前記表示制御部は、前記既印刷領域相当領域を前記表示部に常時表示させるとともに、前記未印刷領域相当領域を前記表示部に点滅表示させることを特徴とする請求項１から３の何れか一項に記載のネイルプリント装置。
【請求項５】
前記表示制御部は、前記未印刷領域相当領域を前記表示部に半透明表示させるとともに、前記既印刷領域相当領域を前記表示部に不透明表示させることを特徴とする請求項１から３の何れか一項に記載のネイルプリント装置。
【請求項６】
前記表示制御部は、前記未印刷領域相当領域を中抜きして前記未印刷領域相当領域のエッジを前記表示部に表示させるとともに、前記既印刷領域相当領域を中抜きせずに前記既印刷領域相当領域を前記表示部に表示させることを特徴とする請求項１から３の何れか一項に記載のネイルプリント装置。
【請求項７】
前記印刷制御部によって進行されている印刷が終了するまでの残存時間を計算する残存時間計算部を更に備え、
前記表示制御部は、前記残存時間計算部によって計算された残存時間とともに、前記既印刷領域相当領域と前記未印刷領域相当領域を前記表示部に表示させることを特徴とする請求項２に記載のネイルプリント装置。
【発明の詳細な説明】
【技術分野】
【０００１】
本発明は、ネイルプリント装置に関する。
【背景技術】
【０００２】
従来、指の爪に様々な色や絵柄等のネイルデザインを印刷するネイルプリント装置が提案されている（例えば、特許文献１、特許文献２参照）。こうしたネイルプリント装置を用いれば、ネイルサロン等の店舗に行かなくても、ユーザーが自宅等で手軽にネイルプリントを楽しむことができる。
【先行技術文献】
【特許文献】
【０００３】
【特許文献１】特開２０００−１９４８３８号公報
【特許文献２】特開２００２−１６５６３２号公報
【発明の概要】
【発明が解決しようとする課題】
【０００４】
ネイルプリント装置を使用して、指の爪に印刷する場合には、指を載置台上に載置し、ネイルプリント装置の印刷部によって指の爪に印刷が施される。指を載置台上に載せただけの場合には、手が不安定な状態にあるため指が動いてしまい、印刷画像がずれたり、乱れたりする虞がある。そこで、ユーザーは指をしっかり静止させなければならない。
【０００５】
しかし、指の爪に対する印刷が終了するまで、指を長時間静止させることはユーザーにとって苦痛である。そのため、印刷終了までの時間や印刷の進捗状況がユーザーにとって把握可能であれば、そのような苦痛も紛らせることができる。しかし、印刷の際には、印刷部が指の上に位置するから、ユーザーは印刷終了までの時間や進捗状況を把握することができない。
【０００６】
そこで、本発明が解決しようとする課題は、印刷の進捗状況や印刷終了までの時間をユーザーに知らしめるようにすることができるネイルプリント装置を提供することである。
【課題を解決するための手段】
【０００７】
以上の課題を解決するために、本発明に係るネイルプリント装置は、
指の爪に印刷を施す印刷部と、
印刷画像を表示する表示部と、
印刷画像のうち既印刷領域と未印刷領域とを識別して前記表示部に表示させる表示制御部と、
を備える。
【発明の効果】
【０００８】
本発明によれば、印刷の進捗状況や印刷終了までの時間をユーザーに知らしめることができる。
【図面の簡単な説明】
【０００９】
【図１】本発明に係るネイルプリント装置の一実施形態を概念的に示した斜視図で、蓋体を開いた状態を示している。
【図２】図１のネイルプリント装置の装置本体を概念的に示した斜視図である。
【図３】図１のネイルプリント装置の印刷指固定部を示した断面図で、印刷指としての人差し指、中指、薬指及び小指を印刷指挿入部に挿入した際の固定態様を示している。
【図４】図１のネイルプリント装置の正面側の断面図である。
【図５】図１のネイルプリント装置の側断面図である。
【図６】本実施形態に係るネイルプリント装置の制御構成を示した要部ブロック図である。
【図７】表示画面の一例を示した図面である。
【図８】表示画面の一例を示した図面である。
【図９】表示画面の一例を示した図面である。
【図１０】ネイルプリント装置の制御部が行う処理の流れを示したフローチャートである。
【図１１】表示画面の一例を示した図面である。
【発明を実施するための形態】
【００１０】
以下に、本発明を実施するための形態について、図面を用いて説明する。但し、以下に述べる実施形態には、本発明を実施するために技術的に好ましい種々の限定が付されているが、本発明の範囲を以下の実施形態及び図示例に限定するものではない。
【００１１】
図１は、本実施形態におけるネイルプリント装置の外観を示す斜視図であり、図２は、ネイルプリント装置の内部構成を示す斜視図である。
【００１２】
図１に示すように、このネイルプリント装置１は、ケース本体２及び蓋体４を備えている。このケース本体２及び蓋体４は、ケース本体２の上面後端部に設けたヒンジ３を介して、互いに連結されている。
【００１３】
上記ケース本体２は平面視で長円状に形成されている。このケース本体２の前側には開閉板２ｃが起倒可能に設けられている。この開閉板２ｃは、ケース本体２の前面下端部に設けたヒンジ（図示せず）を介して、ケース本体２に連結されている。この開閉板２ｃは、ケース本体２の前面を開閉するためのものである。
また、ケース本体２の上面（天板）には後述する操作部１２が設置されており、上面（天板）のほぼ中央部には表示部１３が設定されている。
なお、ケース本体２及び蓋体４の形状、構成はここに例示したものに限定されない。
【００１４】
また、ケース本体２にはネイルプリント装置１の装置本体１０が収容されている。この装置本体１０は、図２に示すように印刷指固定部２０、撮影部３０、印刷部４０及び制御装置５０（図６参照）等を備えている。これら印刷指固定部２０、撮影部３０、印刷部４０及び制御装置５０は機枠１１に設けられている。
なお、機枠１１は下部機枠１１ａ及び上部機枠１１ｂによって構成されている。そして、下部機枠１１ａは箱状に形成され、ケース本体２の内部下方に設置され、上部機枠１１ｂは下部機枠１１ａの上方で且つケース本体２の内部上方に設置されている。
【００１５】
印刷指固定部２０は、機枠１１の中の下部機枠１１ａに設けられている。この下部機枠１１ａに設けられた印刷指挿入部２０ａ、非印刷指挿入部２０ｂ及び掴み部２０ｃによって印刷指固定部２０が構成されている。
ここで、印刷指挿入部２０ａは、印刷しようとする爪Ｔに対応する指（以下「印刷指」という。）Ｕ１を挿入するめための指挿入部である（図３参照）。印刷指挿入部２０ａの底面（印刷指載置面）は、印刷指Ｕ１を載置する指載置部として機能する。印刷指Ｕ１の撮影や印刷は、印刷指Ｕ１がこの指載置部としての印刷指挿入部２０ａの印刷指載置面に載置された状態で行われる。
また、非印刷指挿入部２０ｂは、印刷指以外の指（以下「非印刷指」という。）Ｕ２を挿入するための指挿入部である（図３参照）。
また、掴み部２０ｃは、印刷指挿入部２０ａに挿入された印刷指Ｕ１と、非印刷指挿入部２０ｂに挿入された非印刷指Ｕ２とで挟持することが可能な部分である。本実施形態において、この掴み部２０ｃは印刷指挿入部２０ａと非印刷指挿入部２０ｂとを仕切る隔壁２１によって構成されている。
【００１６】
この隔壁２１の上面は平坦な印刷指載置面を構成している。この隔壁２１の指挿入側端部には膨出部２２が形成されている。この膨出部２２は、印刷指挿入部２０ａ及び非印刷指挿入部２０ｂに印刷指Ｕ１及び非印刷指Ｕ２を深く挿入した際に、印刷指Ｕ１及び非印刷指Ｕ２の付け根Ｕ３が当接する部分に形成されている。膨出部２２は、印刷指Ｕ１の腹全体が印刷指載置面に当接した状態で、印刷指Ｕ１と非印刷指Ｕ２とで隔壁２１（掴み部２０ｃ）を強く挟持することができるように、指挿入方向の断面が、隔壁２１の下面から下方に向けて膨出するように円形となっている。なお、膨出部２２の形状は、断面円形に限定されることなく、断面楕円形，多角形等の非円形であってもよい。
【００１７】
例えば、親指以外の４本の指（人差し指、中指、薬指及び小指）が印刷指Ｕ１となる場合には、図３に示すように、ユーザーは印刷指挿入部２０ａに４本の印刷指Ｕ１を挿入し、非印刷指挿入部２０ｂに非印刷指Ｕ２である親指を挿入する。この場合、ユーザーが印刷指挿入部２０ａに挿入された印刷指Ｕ１と、非印刷指挿入部２０ｂに挿入された非印刷指Ｕ２とで掴み部２０ｃを挟持することにより、印刷指Ｕ１が掴み部２０ｃの上で固定される。
また、親指のみが印刷指Ｕ１となる場合には、親指（印刷指Ｕ１）を印刷指挿入部２０ａに挿入し、親指以外の４本の指（非印刷指Ｕ２）を非印刷指挿入部２０ｂに挿入する。この場合にも、ユーザーが印刷指Ｕ１と非印刷指Ｕ２とで掴み部２０ｃを挟持することで印刷指Ｕ１が固定される。
【００１８】
また、図４は、本実施形態に係るネイルプリント装置１の正面側の断面図であり、図５は、ネイルプリント装置１の側断面図である。
図４及び図５に示すように、撮影部３０は、機枠１１の中の上部機枠１１ｂに設けられている。
すなわち、上部機枠１１ｂに設置された基板３１の中央部下面には、ドライバーを内蔵した２００万画素程度以上の画素を有する電子カメラ３２が設置されている。また、基板３１には、電子カメラ３２を囲むように白色ＬＥＤ等の照明灯３３が設置されている。撮影部３０は、この電子カメラ３２及び照明灯３３を備えて構成されている。
この撮影部３０は、指載置部である印刷指挿入部２０ａに載置された印刷指Ｕ１を照明灯３３によって照明し、電子カメラ３２によってその印刷指Ｕ１を撮影して、当該印刷指Ｕ１に対応する爪Ｔの爪領域画像を含む指画像を取得する指爪画像取得部であり、この撮影部３０は、後述する制御装置５０に接続され、該制御装置５０によって制御されるようになっている。
【００１９】
また、印刷部４０は、印刷指Ｕ１の爪Ｔ（図３等参照）に色や模様等の印刷を施すものである。本実施形態では、印刷部４０は、主として上部機枠１１ｂに設けられている。すなわち、図４及び図５に示すように、上部機枠１１ｂの両側板には、２本のガイドロッド４１が平行に架設されている。このガイドロッド４１には、主キャリッジ４２が摺動自在に設置されている。また、図５に示すように、主キャリッジ４２の前壁４２ａ及び後壁４２ｂには２本のガイドロッド４４が平行に架設されている。このガイドロッド４４には、副キャリッジ４５が摺動自在に設置されている。この副キャリッジ４５の下面中央部には、印刷ヘッド４６が搭載されている。
本実施形態において、この印刷ヘッド４６は、インクを微滴化し、被印字媒体に対し直接に吹き付けて印刷を行うインクジェット方式の印刷ヘッドである。なお、印刷ヘッド４６の記録方式はインクジェット方式に限定されない。
【００２０】
主キャリッジ４２は、動力伝達部（図示せず）を介してモーター４３に連結されている。主キャリッジ４２は、モーター４３の正逆回転によって、印刷指挿入部２０ａ及び隔壁２１の上方においてガイドロッド４１に沿って左右方向に移動するように構成されている。また、副キャリッジ４５は動力伝達部（図示せず）を介してモーター４７に連結されている。副キャリッジ４５は、モーター４７の正逆回転によって、印刷指挿入部２０ａ及び隔壁２１の上方においてガイドロッド４４に沿って前後方向に移動するように構成されている。ガイドロッド４１に沿った前後方向がＸ方向であり、ガイドロッド４４に沿った左右方向をＹ方向であり、印刷ヘッド４６の位置や印刷指Ｕ１の爪Ｔの位置はＸＹ直交座標系で表される。
また、下部機枠１１ａには、印刷ヘッド４６にインクを供給するためのインクカートリッジ４８が設けられている。インクカートリッジ４８は、図示しないインク供給管を介して印刷ヘッド４６と接続されており、適宜印刷ヘッド４６にインクを供給するようになっている。なお、印刷ヘッド４６自体にインクカートリッジを搭載する構成としてもよい。
【００２１】
印刷部４０は、これらガイドロッド４１、主キャリッジ４２、モーター４３、ガイドロッド４４、副キャリッジ４５、印刷ヘッド４６、モーター４７及びインクカートリッジ４８等を備えて構成されている。
【００２２】
操作部１２は、ユーザーが各種入力を行うための入力装置である。操作部１２は、ユーザーにより操作されると、その操作に伴う操作信号を出力する。本実施形態では、操作部１２には、例えば、図１に示すように、ネイルプリント装置１の電源をＯＮする電源ボタン１２０、ネイルデザイン画像を指定する設定ボタン１２１、各種の指定・選択を確定させるための確定ボタン１２２、印刷を開始させるスイッチである印刷ボタン１２３等が設けられている。
【００２３】
表示部１３は、例えば液晶パネル（液晶ディスプレイ（ＬＣＤ：Liquid Crystal Display））等で構成された表示部である。
なお、表示部１３の表面に、タッチパネルが一体的に構成されていてもよい。この場合には、図示しないスタイラスペンや指先等によるタッチ操作により、表示部１３の表面をタッチすることによっても各種の入力を行うことができるように構成される。
【００２４】
表示部１３には、例えば、印刷指Ｕ１を撮影した指画像やその中の爪Ｔを表す爪領域画像、印刷指Ｕ１の爪Ｔに印刷すべきネイルデザイン、デザイン確認用のサムネイル画像、各種の指示画面等が表示されるようになっている。印刷中における表示部１３の表示内容については後に詳述する。
【００２５】
制御装置５０は、例えば上部機枠１１ｂに配置された基板３１等に設置されている。図６は、本実施形態における制御構成を示す要部ブロック図である。
図６に示すように、制御装置５０は、中央制御部５１、プログラムメモリ５２、メモリ５７、印刷ドライバー６０、照明回路６４、ディスプレイドライバー６５及びバスライン６６等を備える。印刷ドライバー６０は、モータードライバー６１、モータードライバー６２及びヘッドドライバー６３等を備える。
【００２６】
中央制御部５１、プログラムメモリ５２、メモリ５７、モータードライバー６１、モータードライバー６２、ヘッドドライバー５８、照明回路６４、電子カメラ３２、ディスプレイドライバー６５及び操作部１２はバスライン６６に接続されている。バスライン６６は、中央制御部５１、プログラムメモリ５２、メモリ５７、モータードライバー６１、モータードライバー６２、ヘッドドライバー５８、照明回路６４、電子カメラ３２、ディスプレイドライバー６５及び操作部１２の間でデータや信号を転送するものである。
【００２７】
モータードライバー６１は、中央制御部５１の指令に従ってモーター４３を駆動する。モータードライバー６２は、中央制御部５１の指令に従ってモーター４７を駆動する。ヘッドドライバー５８は、中央制御部５１の指令に従って印刷ヘッド４６を駆動する。照明回路６４は、中央制御部５１の指令に従って照明灯３３の点灯、消灯及び調光を行う。ディスプレイドライバー６５は、中央制御部５１の指令に従って表示部１３を駆動する。
【００２８】
プログラムメモリ５２には、複数の印刷用ネイルデザイン画像５４が格納されている。印刷用ネイルデザイン画像５４は、印刷指Ｕ１の爪Ｔに印刷される画像である。
プログラムメモリ５２には、複数の表示用ネイルデザイン画像５５が格納されている。表示用ネイルデザイン画像５５は、印刷中に表示部１３に表示される画像であって、表示部１３に表示されるのに適した解像度・画素数のものである。これら印刷用ネイルデザイン画像５４と表示用ネイルデザイン画像５５は一対一で対応付けられている。印刷用ネイルデザイン画像５４とそれに対応付けられた表示用ネイルデザイン画像５５は、解像度及び画素数が異なる同じ画像である。
なお、印刷用ネイルデザイン画像５４や表示用ネイルデザイン画像５５が外部記憶媒体（例えば、半導体メモリ、ハードディスクドライブ）に格納されていてもよい。その場合、リーダー・ライターがバスライン６６に接続され、外部記憶媒体がリーダー・ライターに装着されると、外部記憶媒体に格納された印刷用ネイルデザイン画像５４及び表示用ネイルデザイン画像５５がリーダー・ライターによって読み取り可能となる。
【００２９】
プログラムメモリ５２には、ネイルプリント装置１の機能に係るプログラム５３及びデータ等が格納されている。このプログラム５３は、中央制御部５１にとって読み取り可能なプログラムである。
【００３０】
メモリ５７は、中央制御部５１のワーキングメモリ等として使用される。
【００３１】
中央制御部５１は、ネイルプリント装置１の各部を制御するＣＰＵ等を具備する。プログラム５３が中央制御部５１に各種の機能を持たせ、中央制御部５１がプログラム５３に従って各種処理を行う。具体的には、プログラム５３は、中央制御部５１を印刷画像選択部５１ａ、表示画像選択部５１ｂ、撮像制御部５１ｃ、爪領域検出部５１ｄ、印刷画像データ生成部５１ｅ、表示画像データ生成部５１ｆ、印刷制御部５１ｇ、進捗状況検出部５１ｈ、残存時間計算部５１ｉ及び表示制御部５１ｊとして機能させる。
【００３２】
印刷画像選択部５１ａは、操作部１２から出力された操作信号に従って、プログラムメモリ５２に格納された複数の印刷用ネイルデザイン画像５４の中から、印刷する画像を選択する。
表示画像選択部５１ｂは、プログラムメモリ５２に格納された複数の表示用ネイルデザイン画像５５の中から、印刷画像選択部５１ａによって選択された印刷用ネイルデザイン画像５４に対応付けられた表示用ネイルデザイン画像５５を選択する。
【００３３】
撮像制御部５１ｃは、電子カメラ３２に撮像を行わせて、電子カメラ３２によって撮像された画像を取得する。
【００３４】
爪領域検出部５１ｄは、撮像制御部５１ｃによって取得された撮像画像から、印刷指挿入部２０ａ内に挿入された印刷指Ｕ１の爪Ｔの位置、大きさ及び範囲を検出する。具体的には、爪領域検出部５１ｄは、撮像制御部５１ｃによって取得された撮像画像に対してエッジ検出処理等の画像処理を行うことによって、撮像画像に含まれる爪領域及びそのエッジを認識し、その爪領域のエッジ上の各点の位置を検出する。そして、爪領域検出部５１ｄは、撮像画像の座標系で表されたエッジの各点の位置（座標）を、ＸＹ直交座標系で表された爪Ｔの輪郭線上の各点の位置（座標）に換算する。
【００３５】
印刷画像データ生成部５１ｅは、印刷画像選択部５１ａによって選択された印刷用ネイルデザイン画像５４から印刷画像データを生成する。つまり、印刷画像データ生成部５１ｅは、印刷画像選択部５１ａによって選択された印刷用ネイルデザイン画像５４の座標変換を行うことによって、印刷用ネイルデザイン画像５４の各画素の座標をＸＹ直交座標系の座標に変換する。座標変換後の印刷用ネイルデザイン画像５４を印刷画像データという。
【００３６】
表示画像データ生成部５１ｆは、表示画像選択部５１ｂによって選択された表示用ネイルデザイン画像５５から表示画像データを生成する。つまり、表示画像データ生成部５１ｆは、表示画像選択部５１ｂによって選択された表示用ネイルデザイン画像５５の座標変換を行うことによって、表示用ネイルデザイン画像５５の各画素の座標を撮像画像の座標系の座標に変換する。座標変換後の表示用ネイルデザイン画像５５を表示画像データという。
【００３７】
印刷制御部５１ｇは、印刷ドライバー６０（モータードライバー６１、モータードライバー６２及びヘッドドライバー６３）を介して印刷部４０（モーター４３，モーター４７及び印刷ヘッド４６）を制御し、印刷指Ｕ１の爪Ｔに対する印刷画像データの印刷を印刷部４０に行わせる。
【００３８】
進捗状況検出部５１ｈは、印刷制御部５１ｇの制御によって進行されている印刷の進捗状況を検出する。具体的には、進捗状況検出部５１ｈは、印刷画像データのうち、既に印刷された領域（以下、既印刷領域という。）と未だ印刷さていない領域（以下、未印刷領域という。）とを判別する。また、進捗状況検出部５１ｈは、表示画像データのうち、既印刷領域に相当する領域（以下、既印刷領域相当領域という。）と、未印刷領域に相当する領域（未印刷領域相当領域という。）とを判別する。
【００３９】
残存時間計算部５１ｉは、印刷制御部５１ｇの制御によって進行されている印刷が終了するまでの残存時間を計算する。
【００４０】
表示制御部５１ｊは、ディスプレイドライバー６５を介して表示部１３を制御することによって、各種の画像を表示部１３に表示させる。具体的には、表示制御部５１ｊは、表示画像データのうち、進捗状況検出部５１ｈによって判別された既印刷領域に相当する既印刷領域相当領域を表示部１３に表示させ、進捗状況検出部５１ｈによって判別された未印刷領域に相当する未印刷領域相当領域を表示させない。既印刷領域の表示に際しては、表示制御部５１ｊは、撮像制御部５１ｃによって取得された撮像画像中の爪領域のエッジの内側に既印刷領域相当領域を配置するようにして既印刷領域相当領域を撮像画像に合成して、既印刷領域相当領域を撮像画像とともに表示部１３に表示させる。また、表示制御部５１ｊは、残存時間計算部５１ｉによって計算された残存時間も併せて表示部１３に表示させる。表示制御部５１ｊによって制御された表示部１３に表示される画面の例を図７に示す。
【００４１】
図７に示すように、表示部１３には、撮像制御部５１ｃによって取得された撮像画像（指画像）１３１が表示される。表示された撮像画像１３１には、爪領域（爪画像）１３２が含まれている。表示画像データのうち、進捗状況検出部５１ｈによって判別された既印刷領域に相当する既印刷領域相当領域１３３が、爪領域１３２の内側に配置されるように表示される。また、表示画面の隅部には残存時間表示領域１３５が配置され、残存時間計算部５１ｉによって計算された残存時間が数値で残存時間表示領域１３５の内側に表示される。また、残存時間表示領域１３５の近傍には、印刷ステータス表示領域１３６が配置され、印刷中である旨が印刷ステータス表示領域１３６内に表示される。
【００４２】
表示制御部５１ｊは、未印刷領域相当領域の表示を行わないのではなく、未印刷領域相当領域と既印刷領域相当領域とを識別して、未印刷領域相当領域及び既印刷領域相当領域を表示部１３に表示させてもよい。未印刷領域相当領域と既印刷領域相当領域の識別表示に際しては、表示制御部５１ｊは、撮像制御部５１ｃによって取得された撮像画像中の爪領域のエッジの内側に未印刷領域相当領域及び既印刷領域相当領域を配置するようにして未印刷領域相当領域及び既印刷領域相当領域を撮像画像に合成して、未印刷領域相当領域及び既印刷領域相当領域を撮像画像とともに表示部１３に表示させる。また、表示制御部５１ｊは、残存時間計算部５１ｉによって計算された残存時間も未印刷領域相当領域及び既印刷領域相当領域とともに表示部１３に表示させる。表示制御部５１ｊによって制御された表示部１３に表示される画面の例を図８、図９に示す。
【００４３】
図８、図９に示すように、表示部１３には、撮像制御部５１ｃによって取得された撮像画像１３１が表示される。表示された撮像画像１３１には、爪領域１３２が含まれている。既印刷領域相当領域１３３及び未印刷領域相当領域１３４は、爪領域１３２の内側に配置されるように表示される。既印刷領域相当領域１３３と未印刷領域相当領域１３４が識別できるように、既印刷領域相当領域１３３と未印刷領域相当領域１３４が表示される。
例えば、図８に示すように、未印刷領域相当領域１３４は中抜きされて、その未印刷領域相当領域１３４のエッジが表示部１３に表示され、既印刷領域相当領域１３３は中抜きされずに表示部１３に表示される。
また、図９に示すように、未印刷領域相当領域１３４が表示部１３に半透明表示され、既印刷領域相当領域１３３が表示部１３に不透明表示される。半透明表示とは、未印刷領域相当領域１３４の各画素値が、不透明表示における未印刷領域相当領域１３４の各画素値と背景の画素値との平均値となるような表示をいう。
また、図示を省略するが、未印刷領域相当領域１３４が点滅表示され、既印刷領域相当領域１３３が常時表示されてもよい。
中抜き表示（図８）、半透明表示（図９）、点滅表示の何れの場合でも、残存時間計算部５１ｉによって計算された残存時間が数値で残存時間表示領域１３５の内側に表示されるとともに、印刷中である旨が印刷ステータス表示領域１３６内に表示される。
【００４４】
続いて、図１０を参照しつつ、プログラム５３に従った中央制御部５１の処理の流れを説明するとともに、中央制御部５１の処理に基づくネイルプリント装置１の動作について説明する。
【００４５】
このネイルプリント装置１により印刷を行う場合、ユーザーはまず、電源スイッチを入れて制御装置５０を起動させ、印刷指Ｕ１の爪Ｔに印刷したいネイルデザインを設定ボタン１２１及び確定ボタン１２２によって選択する（ステップＳ１）。ネイルデザインの選択は、印刷指Ｕ１毎に行う。
【００４６】
具体的には、プログラム５３が中央制御部５１を印刷画像選択部５１ａ及び表示画像選択部５１ｂとして機能させる。そうすると、中央制御部５１はプログラムメモリ５２に格納された複数の印刷用ネイルデザイン画像５４をサムネイル画像として表示部１３に表示させる。そして、ユーザーが設定ボタン１２１を操作することによって表示部１３に表示された複数のサムネイル画像の中から選択して、確定ボタン１２２を押下する。中央制御部５１は、ユーザーによる設定ボタン１２１及び確定ボタン１２２の操作に従って、プログラムメモリ５２に格納された複数の印刷用ネイルデザイン画像５４の中から印刷用ネイルデザイン画像５４を選択するとともに、それに対応付けられた表示用ネイルデザイン画像５５を選択する。
【００４７】
そして、ユーザーが印刷指Ｕ１を印刷指挿入部２０ａ内に挿入し、印刷指Ｕ１の爪Ｔを上に向けて印刷指Ｕ１を印刷指載置面（隔壁２１の上面）に置く。
【００４８】
次に、ユーザーが印刷ボタン１２３を押下すると、その旨の操作信号が印刷ボタン１２３から中央制御部５１に出力される。そうすると、プログラム５３が中央制御部５１を撮像制御部５１ｃとして機能させる。撮像制御部５１ｃとして機能した中央制御部５１は、照明灯３３を点灯させ、電子カメラ３２に撮像動作を行わせる（ステップＳ２）。電子カメラ３２が撮像動作を行うと、指や爪の像を含む撮像画像が電子カメラ３２によって出力され、中央制御部５１がその撮像画像を取得する。
【００４９】
次に、中央制御部５１が、電子カメラ３２によって撮像された撮像画像を表示部１３に表示させる（ステップＳ３）。
【００５０】
次に、プログラム５３が中央制御部５１を爪領域検出部５１ｄとして機能させ、中央制御部５１は、撮像画像に基づいて、印刷指Ｕ１の爪Ｔの位置、大きさ及び範囲を検出する（ステップＳ４）。つまり、中央制御部５１は、撮像画像に含まれる爪領域のエッジ上の各点の位置を検出するとともに、エッジ上の各点の位置（座標）を爪Ｔの輪郭線上の各点の位置（座標）に換算する。
【００５１】
次に、プログラム５３が中央制御部５１を表示画像データ生成部５１ｆとして機能させる。そうすると、中央制御部５１は、選択された表示用ネイルデザイン画像５５の各画素の座標を撮像画像の座標系の座標に変換して、表示画像データを生成する（ステップＳ５）。つまり、中央制御部５１は、選択された表示用ネイルデザイン画像５５のサイズ等を変更するとともに、その表示用ネイルデザイン画像５５を撮像画像中の爪領域のエッジの内側に配置するように表示用ネイルデザイン画像５５の座標を撮像画像の座標系の座標に変換する。
【００５２】
次に、プログラム５３が中央制御部５１を印刷画像データ生成部５１ｅとして機能させる。そうすると、中央制御部５１は、選択された印刷用ネイルデザイン画像５４の各画素の座標をＸＹ直交座標系の座標に変換して、印刷画像データを生成する（ステップＳ６）。つまり、中央制御部５１は、選択された印刷用ネイルデザイン画像５４のサイズ等を変更するとともに、その印刷用ネイルデザイン画像５４を爪Ｔの輪郭線（爪Ｔの輪郭線上の各点の位置はＸＹ直交座標系で表されている。）の内側に配置するように印刷用ネイルデザイン画像５５の座標をＸＹ直交座標系の座標に座標変換する。
【００５３】
次に、中央制御部５１は、印刷画像データから印刷時間を計算する（ステップＳ７）。印刷時間とは、印刷部４０によって印刷指Ｕ１の印刷が開始された時からその印刷が終了する時までの時間である。
【００５４】
次に、中央制御部５１は、ステップＳ７で算出した印刷時間を、ステップＳ３で表示した撮像画像とともに表示部１３に表示させる（ステップＳ８）。
【００５５】
次に、プログラム５３が中央制御部５１を印刷制御部５１ｇとして機能させ、中央制御部５１が印刷ドライバー６０を介して印刷部４０を制御することによって、印刷部４０に印刷動作を進行させる（ステップＳ９）。そのため、印刷指Ｕ１の爪Ｔに対する印刷画像データの印刷が印刷部４０によって施される。
【００５６】
具体的には、中央制御部５１がモータードライバー６１，６２を介してモーター４３，４７を制御することによって、印刷ヘッド４６が爪Ｔの上においてＸ方向及びＹ方向に間欠的に移動する。つまり、中央制御部５１がモーター４７を所定刻みで動作させることによって、印刷ヘッド４６がＹ方向に所定間隔ずつ間欠的に移動し、モーター４７の動作が停止している時に、中央制御部５１がモーター４３を動作させることによって印刷ヘッド４６がＸ方向に往復移動する。そして、印刷ヘッド４６がＸ方向に往復移動している時に、中央制御部５１は、ステップＳ６で生成した印刷画像データに基づいてヘッドドライバー６３を介して印刷ヘッド４６を制御する。これにより、印刷ヘッド４６が、爪Ｔに向けてインクを繰り返し吐出する。そのため、爪Ｔには、印刷画像データに従った画像が形成されていく。
【００５７】
印刷の進行中、プログラム５３が中央制御部５１を進捗状況検出部５１ｈとして機能させ、中央制御部５１が印刷画像データのうち既印刷領域と未印刷領域とを判別する（ステップＳ１０）。また、中央制御部５１は、表示画像データのうち既印刷領域相当領域と未印刷領域相当領域とを判別する。
【００５８】
印刷の進行中、プログラム５３が中央制御部５１を残存時間計算部５１ｉとして機能させ、中央制御部５１が印刷開始時からの経過時間を計算するとともに、ステップＳ７で算出した印刷時間から経過時間を減じることで得られた差を算出する（ステップＳ１１）。その差は、印刷残存時間である。
【００５９】
そして、プログラム５３が中央制御部５１を表示制御部５１ｊとして機能させ、図８、図９に示すように、中央制御部５１が未印刷領域相当領域と既印刷領域相当領域とを識別して、これらの領域を表示部１３に表示させる（ステップＳ１２）。この際、中央制御部５１は、未印刷領域相当領域及び既印刷領域相当領域を撮像画像中の爪領域のエッジの内側に配置するようにして、未印刷領域相当領域及び既印刷領域相当領域を撮像画像に合成して、未印刷領域相当領域及び既印刷領域相当領域を撮像画像とともに表示部１３に表示させる。また、中央制御部５１は、ステップＳ１１で算出した印刷残存時間も併せて表示部１３に表示させる。印刷残存時間は数値で表示される。なお、中央制御部５１が未印刷領域相当領域を表示部１３に表示させずに、既印刷相当領域を表示部１３に表示させてもよい（図７参照）。
【００６０】
中央制御部５１は、以上のようなステップＳ９〜ステップＳ１２の処理を繰り返し行う（ステップＳ１３：ＮＯ）。従って、印刷部４０によって印刷が継続され（ステップＳ９）、未印刷領域相当領域と既印刷領域相当領域の識別表示が行われるとともに（ステップＳ１２）、印刷残存時間の表示も行われる（ステップＳ１２）。ステップＳ９〜ステップＳ１２の処理が繰り返される度に、中央制御部５１が進捗状況の検出（ステップＳ１０）と印刷残存時間の計算（ステップＳ１２）を行うので、表示部１３に表示されている印刷残存時間が減っていくとともに、未印刷領域相当領域の面積も減っていき、既印刷領域相当領域の面積が増えていく。
【００６１】
そして、印刷画像データの全ての領域の印刷が終了したら（ステップＳ１３：ＹＥＳ）、図１１に示すように、表示画像データの全ての領域が既印刷領域相当領域１３３となって、表示画像データの全体が表示部１３に表示される。その後、中央制御部５１は図１０に示す処理を終了する。
【００６２】
その後、次の印刷指Ｕ１の爪Ｔに印刷を施す場合には、中央制御部５１が図１０に示す処理を再度行う。
【００６３】
以上のように、本実施形態におけるネイルプリント装置１によれば、印刷の進捗状況が表示部１３に表示されるから、ユーザーは印刷中の爪Ｔの印刷指Ｕ１を動かしていけない時間を直感的に理解することができる。そのため、ユーザーが快適にネイルデザイン加工を楽しむことができる。
また、ユーザーは次の印刷指Ｕ１の爪Ｔの印刷開始までの時間を直感的に理解することができる。そのため、印刷指Ｕ１の印刷中に、ユーザーが次の印刷指Ｕ１に違和感を得た場合には、次の印刷指Ｕ１を動かして良いことが分かる。
【００６４】
本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
指の爪に印刷を施す印刷部と、
印刷画像を表示する表示部と、
印刷画像のうち既印刷領域と未印刷領域とを識別して前記表示部に表示させる表示制御部と、
を備えることを特徴とするネイルプリント装置。
＜請求項２＞
前記印刷部を制御して、前記印刷部による印刷画像の印刷を進行させる印刷制御部と、
前記印刷制御部によって進行されている印刷の進捗状況を検出して、前記印刷画像のうち既印刷領域と未印刷領域を判別する進捗状況検出部と、
を備えることを特徴とする請求項１に記載のネイルプリント装置。
＜請求項３＞
前記表示制御部は、前記進捗状況検出部によって判別された未印刷領域に相当する未印刷領域相当領域を表示させないことを特徴とする請求項２に記載のネイルプリント装置。
＜請求項４＞
前記表示制御部は、前記既印刷領域相当領域を前記表示部に常時表示させるとともに、前記未印刷領域相当領域を前記表示部に点滅表示させることを特徴とする請求項１から３の何れか一項に記載のネイルプリント装置。
＜請求項５＞
前記表示制御部は、前記未印刷領域相当領域を前記表示部に半透明表示させるとともに、前記既印刷領域相当領域を前記表示部に不透明表示させることを特徴とする請求項１から３の何れか一項に記載のネイルプリント装置。
＜請求項６＞
前記表示制御部は、前記未印刷領域相当領域を中抜きして前記未印刷領域相当領域のエッジを前記表示部に表示させるとともに、前記既印刷領域相当領域を中抜きせずに前記既印刷領域相当領域を前記表示部に表示させることを特徴とする請求項１から３の何れか一項に記載のネイルプリント装置。
＜請求項７＞
前記印刷制御部によって進行されている印刷が終了するまでの残存時間を計算する残存時間計算部を更に備え、
前記表示制御部は、前記残存時間計算部によって計算された残存時間とともに、前記既印刷領域相当領域と前記未印刷領域相当領域を前記表示部に表示させることを特徴とする請求項２に記載のネイルプリント装置。
【符号の説明】
【００６５】
１  ネイルプリント装置
１３  表示部
４０  印刷部
５１  中央制御部
５１ｇ  印刷制御部
５１ｈ  進捗状況検出部
５１ｉ  残存時間計算部
５１ｊ  表示制御部
【図１】
2013094184.tif 000003
【図２】
2013094184.tif 000004
【図３】
2013094184.tif 000005
【図４】
2013094184.tif 000006
【図５】
2013094184.tif 000007
【図６】
2013094184.tif 000008
【図７】
2013094184.tif 000009
【図８】
2013094184.tif 000010
【図９】
2013094184.tif 000011
【図１０】
2013094184.tif 000012
【図１１】
2013094184.tif 000013